(57)【要約】      （修正有）【課題】地面から住宅に侵入しようとする有害害虫を住宅の基礎部分に安価な部材を簡単に取り付けることにより侵入遮断できる積層粘着テープを提供する。【解決手段】住宅の基礎部分から壁部分への立ち上がり部分に有害害虫が壁へ移ろうとしても滑り落ちるように樹脂または金属テープ２で返しを設けるようにした。【選択図】図３
0003225364.tif 000002
【実用新案登録請求の範囲】
【請求項１】
粘着性樹脂と樹脂テープまたは金属テープからなる積層粘着テープで、粘着性樹脂は厚さが０．２〜１．０ｍｍで、樹脂テープまたは金属テープは厚さが０．０１〜１．０ｍｍ、幅が５０〜１００ｍｍで長さが１ｍ以上の長尺であり、粘着性樹脂が樹脂テープまたは金属テープの片面の幅の１０〜５０％の部分に添着されたことを特徴とする住宅基礎部分に貼り合わせる有害害虫除け積層粘着テープ。
【請求項２】
樹脂テープが厚さ０．１〜１．０ｍｍの硬質性樹脂で長尺方向には折り目が入っており住宅基礎部分に粘着させると硬質性樹脂テープの折り目が１０度以上の角度で住宅基礎部分から離れることを特徴とする請求項１の積層粘着テープ。
【請求項３】
金属テープが長尺の平板状で長さが１ｍ〜４ｍあり、金属テープが長尺方向に粘着性樹脂と反対側に１０度以上の角度で折れ曲がっていることを特徴とする請求項１の積層粘着テープ。
【請求項４】
樹脂テープが厚さ０．０１〜０．１ｍｍの軟質性樹脂で長尺の巻物であることを特徴とする請求項２の積層粘着樹脂テープ。
【請求項５】
金属テープが厚さ０．０１〜０．１ｍｍのアルミ箔で長尺の巻物であることを特徴とする請求項１の積層粘着テープ。
【考案の詳細な説明】
【技術分野】
【０００１】  本考案は住宅基礎部分に粘着させて取り付けることにより地面からの有害害虫の住宅内への侵入を容易に防止することの出来る積層粘着テープに関するものである。
【背景技術】
【０００２】  従来から合成樹脂やアルミ箔でできた複合粘着樹脂テープは包装材料、工業材料、その他の用途に各種のものが開発されてきたがいずれも粘着樹脂面が薄くコンクリートやモルタルのように粗雑な凹凸のある表面に長期に安定して粘着させることは出来なかった。また粘着テープには粘着剤が全面に添着されておりテープの厚みは薄かった。【０００３】  住宅周囲の地面にはムカデ、クモ、ゴキブリ、アリなどの多くの有害害虫が生存しており、それらの住宅内への侵入を防除するのには住宅周囲へ害虫忌避剤をまいたり特殊な形状の害虫返しを住宅基礎や壁の下部に取り付けたりされていた。【０００４】  害虫忌避剤を住宅周囲にまくと人体やペットや植物への悪影響が避けられず又雨や風で消失してしまう問題があった。【０００５】  また住宅基礎や壁の下部分に取り付ける特殊な形状の害虫返しも考案されているが高価で取り付けにも手間と時間を要するものであった。（たとえば特許文献１及び２）【０００６】
【特許文献１】特許公開２０１５−１４９９２４号広報
【特許文献２】実案登録３０６６２５３公報
【考案の開示】
【考案が解決しようとする課題】
【０００７】  本考案は地面から住宅に侵入しようとする有害害虫を人畜に有害な薬剤を使用することなく、また安価な部材を即時に容易に、長期に安定させて取り付けることにより侵入を遮断しようとするものである。
【課題を解決するための手段】
【０００８】  多くの場合、有害害虫は多足で地面から住宅基礎部分を這い上って浴室、寝室、台所の窓や雨戸の隙間、換気扇の取り付け穴などから侵入する。そこで住宅基礎部分から壁部分への立ち上がり部分に有害害虫が壁へ移ろうとしても滑り落ちるように粘着剤で長尺の樹脂か金属のテープを張り付けるようにした。【０００９】  住宅基礎部分は多くの場合コンクリート、モルタルなどで構成されており、それが垂直に立っており、かつその表面は微小な凹凸のある粗雑状態なので接着剤で樹脂テープを張り付けるのは手間がかかり乾燥硬化するまで固定しなければならず容易ではない。そこで容易に即時に粘着させることの出来る粘着性樹脂を使用することを考案した。【００１０】  粘着性樹脂としてはスチレン系、アクリル系、ブチルゴム系、塩ビ系樹脂に粘着剤を混ぜたものやシリコン系、ウレタン系またはアクリル系ゲル状樹脂などを使用することができるが住宅の基礎材料の表面は微小な凹凸を有する粗雑状態である。その垂直面に容易に付着させるにはアスカーＣ硬度計による硬度が１０〜３０、厚さが０．２〜１．０ｍｍであることが望ましい。これらの中では耐熱性、耐候性の点でシリコン系が最も優れている。【００１１】  粘着性樹脂は多孔性のウレタンフォームに浸透させても良いし、硬度を維持するために各種の充填剤、たとえば粉砕気泡緩衝材、ガラスバルーン、タルク、炭酸カルシュームなどを入れても良い。これらの中には例えば厚さ０．２ｍｍ以上の市販されている両面粘着テープを使用することもできる。【００１２】  粘着の強さは厚さが約１ｍｍのポリエステルテープを縦方向５ｃｍ、横方向１０ｃｍに切り取り横方向の片端に１ｃｍの帯線状に粘着剤を添着し、通常のセメントブロックの表面に貼り付けて垂直に置き自然に落下しないような強度があればよい。【００１３】  樹脂テープが硬質性樹脂である場合はある程度の自立性と幅がないと有害害虫が這い上がり超えて入ってくるので厚さが０．１〜１．０ｍｍ、幅が５０〜１００ｍｍで長尺であることが必要である。その材料はポリエステル、ポリスチレン、ポリプロピレン、ポリエチレンなどが適している。これらの中では強度、平滑性や折り目の加工性などの点でポリエステル系が優れている。【００１４】  樹脂テープが軟質性樹脂である場合は有害害虫が這い上がろうとしたときに足で軟質樹脂テープを掴むことができないように、又下に潜り込むようにするために厚さが０．０１〜０．１ｍｍ、幅が５０〜１００ｍｍで長尺であることが必要である。その材料はポリエチレン、ポリプロピレン、ポリ塩化ビニリデンなどが優れている。【００１５】  金属テープがアルミ箔である場合には厚さが０．０１〜０．１ｍｍ、幅が５０〜１００ｍｍで長尺であることが必要である。その色は害虫の忌避効果のある金色や黄色に着色されたものが望ましい。【００１６】  粘着性樹脂は樹脂または金属テープの全面に添着させると価格が高くなり作業性も悪くなるので樹脂または金属テープの片面の幅方向の表面の１０〜５０％の部分に帯状に、または点々と添着されているのが良い。【００１７】  樹脂テープが硬質性樹脂テープの場合にはあらかじめ長尺方向に沿って折り目や折り線をつけておき、平坦に伸ばして住宅���礎部分に粘着させた時に形状記憶効果により複合樹脂テープの粘着剤の付いていないかまたは粘着剤の付いた部分が住宅基礎から１０度以上の角度で立ち上がるのが良い。【００１８】  この積層樹脂テープが硬質性樹脂からなる場合には厚さが０．５ｍｍ以下の薄いものは巻物にできるが、厚さが０．５ｍｍ以上の厚いものになると長さを１ｍ〜４ｍの板状にカットしたものが良い。【００１９】  粘着性樹脂は使用するまでの間は表面を保護しなければならない。そのために通常使用されている離型剤を硬質性樹脂の粘着性樹脂の反対面に塗布するか、厚さが０．１ｍｍ以下の薄い剥離紙で保護する。剥離紙の種類は粘着性樹脂から容易に剥離できるポリエチレン、ポリエステルなどを用いることができる。【００２０】  この害虫除けテープは住宅の基礎に貼り付けて使用するが、基礎から立ち上がる壁に貼り付けても良いし又基礎がトタン板や木版でおおわれている場合は地面から３０〜５０ｃｍの高さの位置に隙間の無いように貼り付けて使用する。
【考案の効果】
【００２１】  本考案による積層樹脂テープは安価にして容易に即時に住宅基礎部分取り付けられるもので地面から住宅に侵入しようとする有害害虫を人畜に有害な薬剤を使用することなく、長期間安定して有害害虫の侵入遮断ができるものである。
【考案を実施するための最良の形態】
【００２２】  厚さ約０．０１ｍｍのアルミ箔を幅６０ｍｍ、長さ１００ｃｍのテープ状に切り取り、その幅方向の片端にシリコン系粘着剤を厚さ約０．５〜１ｍｍ、幅約１５ｍｍになるように帯線状に塗布しその表面にシリコン離型剤を塗布したポリエチレンラップフィルムを被覆した。
【実施例】
【００２３】  実施例１
厚さ０．５ｍｍのポリエステルフィルム（アクリサンデー株式会社）を幅５０ｍｍ、長さ９０ｃｍのテープ状に切り取り、幅方向の中央の２５ｍｍの位置に軽く刃物で折り線を入れて、その片方の山側になる約１５ｍｍの部分に両面粘着テープ（Ｎｉｔｔｏ株式会社、ニトムズ）を張り付けその表面にシリコン離型剤を塗布したポリエチレンラップフィルムを被覆した。【００２４】  実施例２
厚さ約０．０１ｍｍの食品用アルミ箔を幅６０ｍｍ、長さ１００ｃｍのテープ状に切り取り、その非光沢面の幅方向の片端にシリコン系粘着剤（セメダイン株式会社、ＢＢＸ）を厚さ約０．５〜１ｍｍ、幅約１０ｍｍになるように帯線状に塗布しその表面にシリコン離型剤を塗布したポリエチレンラップフィルムを被覆した。
【産業上の利用可能性】
【００２５】  この考案による積層粘着テープを使用すれば高価で取り付け工事の面倒な部材を使用することなく、安価にして容易に長期間安定して住宅への有害害虫の侵入を防止することができる。
【図面の簡単な説明】
【００２６】
【図１】本考案による積層樹脂粘着テープの樹脂テープが厚さ０．１〜１．０ｍｍの硬質性樹脂である場合の実施形態の平面図と断面図である。
【図２】本考案による積層金属粘着テープの金属が厚さ０．０１ｍｍのアルミ箔である場合の実施形態の斜視図である。
【図３】本考案の積層樹脂粘着テープを住宅のモルタル壁に貼り付けた側面図である。
【符号の説明】
【００２７】    １  粘着性樹脂
２  樹脂テープまたは金属テープ
３  離形フィルム
４  折り線
５  基礎コンクリート
６  モルタル壁
７  地面
【図１】
0003225364.tif 000003
【図２】
0003225364.tif 000004
【図３】
0003225364.tif 000005